(57)【要約】      （修正有）【課題】携帯電話等身の回り小物用品の保持、使用時の取り出し易さを追求した保持用具を提供する。【解決手段】クリップ部３を有する任意形状台座部１に台座側面ファスナー２を粘着両面テープで固着し、台座側面ファスナー２に着脱する取付け用面ファスナーの裏面に粘着両面テープを取り付けその表面に剥離紙を設け携帯電話１６等身の回り用品に貼り付けて取り付部材とする。【選択図】図４
2005058682.tif 000002
【特許請求の範囲】
【請求項１】
身体あるいは自動車の内装部材、自転車ハンドルや机、エアコンなどの備品に装着することが出来る装着機構を有する基材と、該基材に設けられた装着側面ファスナーとよりなる装着部材と、前記装着側面ファスナーに着脱可能な取り付側面ファスナーと、該取り付側面ファスナーに設けられた携帯電話、カメラ、カードケース等身の回り小物用品に取付けられる取り付部材とよりなる小物保持具。
【請求項２】
身体あるいは自動車の内装部材、自転車ハンドルや机、エアコンなどの、備品に装着することが出来る装着構造よりなる基材と、該基材に設けられた装着側面ファスナーとよりなる装着部材と、前記装着側面ファスナーに着脱可能な取り付側面ファスナーと、該取り付側面ファスナーに設けられた携帯電話、カメラ、カードケース等身の回り小物用品に取付けられる取り付部材とよりなる小物保持具。
【請求項３】
基材にカードやペン、眼鏡等を収納できるケース構造部を有することを特徴とする請求項１又は２記載の小物保持具。
【請求項４】
基材に装着側面ファスナーを固定できる構造部を有することを特徴とする請求項１又は２記載の小物保持具。
【発明の詳細な説明】
【技術分野】
【０００１】本発明は携帯電話、カメラ、カードケース等身の回り小物用品が容易に固着携帯し、容易に保持部より取り出し合わせて落下を防止する小物保持具に関するものである。
【背景技術】
【０００２】従来の携帯電話等の保持用具は携帯電話機等の專用カバー、専用ケース等に面ファスナーを固定し、ベルトに取付ける受け具の面ファスナーと着脱する保持具よりなるものがあつた。
【特許文献１】    特開平１０−２１５９３３
【発明の開示】
【発明が解決しようとする課題】
【０００３】そのためにつぎのような問題点があった。
イ  特定の機種等対象では機種が広範囲に成るので汎用性がない。
ロ  保持用具から取り付け、取り外しの工程が有りすぎた発明が多く見られる。
ハ  構成される部品点数が多すぎて安価に提供できない発明がある。
本発明は、以上の問題点を解決するためになされたものである。
【課題を解決するための手段】
【０００４】身体あるいは自転車ハンドルや机、エアコンなどの備品に装着することが出来る装着機構を有する基材と、該基材に設けられた装着側面ファスナーとよりなる装着部材と、前記装着側面ファスナーに着脱可能な取り付側面ファスナーと、該取り付側面ファスナーに設けられ携帯電話、カメラ、カードケース等身の回り小物用品に取り付けられる取り付部材とより構成される。
【発明の効果】
【０００５】本発明を使用することによって、携帯電話等身の回り用品の保持用具からの取り付け、取り外しの容易さと汎用性を解決した発明である。
【発明を実施するための最良の形態】
【０００６】以下、本発明品の実施の形態について図１から図４を利用して説明する。
図１に示す身体に装着することが出来る装着部と、図３に示す携帯電話、カメラ、カードケース等身の回り小物用品に取り付けられる取り付部材とより構成される。
本事例において装着部材は、図２に示すように装着機構としてクリップ（３）を有する部位と、一体からなる方形の台座部（１）に粘着層（５）を介して固定する装着側面ファスナー（２）を設けることにより構成される。
また、台座の面ファスナーが取り付けられていない周辺部にはリング等を取り付ける穴（７）が設けられている。
取り付部材は、図３に示すように前記装着側面ファスナーと着脱可能に固定することができる取り付側面ファスナー（４）の裏面に粘着両面テープ（５）が設けられ、その表面に剥離紙（６）が設けられたものである。
その剥離紙（６）を剥がして、携帯電話（１６）の操作に差障りの無い裏面に固定する。本発明は以上のように構成されている。
これを利用するときは、図５に示すように装着側部材を衣服のベルト（１５）等にクリップ（３）機構を利用し挟み込み衣服等に装着する、
図６に示すように取り付側面ファスナー（４）を裏面に固定した携帯電話（１６）をベルト等に装着している装着側部材台座に固定している面ファスナー（２）に取り付け携帯電話等を保持させる。
図４に示す、リング付フック（２２）を方形台座部（１）周辺部の穴（７）に取り付けることにより、携帯電話（１６）に付属されている吊り紐等（２１）を掛け固定し、落下防止と紛失防止の役目をする。【０００７】以下、図７、図８の実施形態を説明する。本事例は携帯電話の着信音が耳元で確認できる様に作業服の肩ベルト（１５）に装着部材を装着し、取り付け側面ファスナー（４）を裏面に固定した携帯電話（１６）を保持させる。
騒音等の大きい場所向きに装着する。
携帯電話等身の回り小物に取り付け側面ファスナー（４）の設置方法は前記実施の形態と同様である。【０００８】以下、本発明の第二実施の形態について図９、図１０を利用し説明する。
本事例においては、個別の基材を用いて本発明を構成させるものである。
基材としては、成型樹脂部材で設けられた任意形状台座部（１）と、クリップ部（３）により構成される。
図１０は任意形状台座部裏面を見た図であり、左右に向かい合う鍵型の溝は挿入溝（８）であり、これは装着機構であるクリップ（３）を固定するためのものである。挿入溝の寸法は装着機構であるクリップの厚み（２３）で溝の隙間（２４）が決められクリップの横幅（２５）で挿入溝（８）の左右の間隔を決める。
図１０のクリップ（３）は金属プレス加工で、打ち抜き、曲げ加工にて装着機構であるクリップ部（３）を設ける、クリップ部の裏面側が挿入溝に入る方で、その下部中央にクリップを任意形状台座部に固定させる為の止め穴（９）を設けている、任意形状台座部の下部中央に突起部（１０）が設けているので、クリップ（３）の裏面側を挿入溝（８）に差込み突起部（１０）と止め穴（９）を合わせることで固定される。
任意形状台座部表面（１）に粘着層（５）を介して装着側面ファスナー（２）を設け、装着側部材を構成する。
携帯電話等身の回り小物に取り付け側面ファスナーの設置方法は前記実施の形態と同様である。
これを利用するときは、前記実施の形態と同様である。【０００９】以下、本発明の第三実施の形態について図１１から図１５を利用し説明する。
本事例において、身体に直接着ける装着側部材は一般に市販されているアームベルト（１１）、の表面に装着側面ファスナー（２）を粘着又は縫い付け固定し装着部を設けることにより構成される。
アームベルト本体（１１）の表面には腕幅に応じた調整用面ファスナー（１２）と夜間の使用を示す蛍光素材（１３）の部材と、裏面には固定維持用の面ファスナー（１４）が固定されて、アームベルトを構成している。
アームベルト表面の中央部、蛍光素材表面に装着側面ファスナー（２）を粘着又は縫付け似て固定し装着部を設ける。
これを利用するときはアームベルトを図１３に示すとおり、腕に巻きつけ固定し、取付け側面ファスナー（４）を裏面に固定した携帯電話等小物用品を図１５に示すようにアームベルトの装着側面ファスナー（２）に取り付け保持させる
携帯電話等身の回り小物に取り付け側面ファスナーの設置方法は前記実施の形態と同様である。【００１０】図１５に示すように、安全ベストの蛍光素材縫製部位に装着側面ファスナー（２）を複数箇所、粘着又は縫付けにて装着側部材を構成するものもあげられる。
安全ベストの蛍光部材位置以外では台座部の変りになる部位が別付けとなる為に装着側面ファスナー（２）の固定位置を蛍光部材の複数位置とする。
携帯電話等のほか複数個の取付け側面ファスナー（４）を裏面に固定した身の回り小物用品を保持できる。
携帯電話等身の回り小物に取り付け側面ファスナー（４）の設置方法は前記実施の形態と同様である。【００１１】以下、本発明の第四実施の形態について図１６を利用し説明する。
裏面に装着機構クリップを有する任意形状台座部（１）に上蓋付カードケース（１８）等の小物収容ケースを粘着剤等で固定、ケース等表面に装着側面ファスナー（２）を粘着剤等で固定し、装着側部材とする。
利用方法としては前項に記述したとおり、取り付け側面ファスナー（４）を固定した携帯電話等の身の回り小物用品を収容ケース等に固定されている、装着側面ファスナー（２）に取り付け保持させる、その他の用品を収納ケースに収納後、上蓋を閉じれば、身の回り用品の保持と収納が可能である。
携帯電話等身の回り小物に取り付け側面ファスナー（４）の設置方法は前記実施の形態と同様である。【００１２】以下、本発明の第五実施の形態について図１７を利用し説明する。
任意形状台座部（１）に装着側面ファスナー（２）固定位置以外の余白部に宣伝媒体としてのロゴ（１９）を刻印、印刷、シール．等で施し、保持した小物を外した時にロゴ等が宣伝媒体として利用できる装着側部材である。
裏面装着機構としてはクリップ等前記説明した物が考えられる。【００１３】以下、本発明の第六実施の形態について図１８を利用し説明する。
任意形状台座部（１）に装着側面ファスナー（２）固定した台座部裏面に、自転車のハンドルバーに固定できる専用のクリップ（２０）を設け、台座部に固定して自転車用ハンドルバーに装着し、装着側部材とする。
同様に自動車のエアコン空気噴出し口に装着できるクリップを設け、台座部（１）に固定し、装着部材とする。
利用法としては自転車のハンドルバーのパイプやエアコン空気噴出し口にクリップ（２０）を介して挟み込み固定し、取り付け側面ファスナー（４）を固定した携帯電話等の身の回り小物用品を保持させる
【図面の簡単な説明】
【００１４】
【図１】本発明の正面図
【図２】本発明の左側面図（右側面図同等略）
【図３】本発明の取り付け部材図
【図４】本発明のフック付リング図
【図５】本発明の実施図
【図６】本発明の実施図
【図７】本発明の実施図
【図８】本発明の実施図
【図９】本発明の正面図
【図１０】本発明の組立図
【図１１】本発明のアームベルト正面図
【図１２】本発明のアームベルト背面図
【図１３】本発明のアームベルト実施図
【図１４】本発明のアームベルト実施図
【図１５】本発明の安全ベスト図
【図１６】本発明の小物収容ケース取り付け図
【図１７】本発明のロゴ入り任意形状台座部
【図１８】本発明の自転車等のハンドルバー用クリップ図
【符号の説明】
【００１５】  １        台座部
２        装着側面ファスナー
３        クリップ部
４        取り付け側面ファスナー
５        粘着剤層
６        剥離紙
７        リング付きフック取り付け穴
８        鉤型挿入溝
９        止め穴
１０        突起部
１１        アームベルト本体生地
１２        幅調整面ファスナー
１３        蛍光素材生地
１４        アームベルト固定用面ファスナー
１５        ベルト
１６        携帯電話
１７        安全ベスト
１８        各種上蓋付収納ケース
１９        宣伝表記部
２０        自転車ハンドルバー用クリップ
２１        吊り紐
２２        リング付フック
２３        フック厚み寸法
２４        隙間寸法
２５        挿入溝間隔
【図１】
2005058682.tif 000003
【図２】
2005058682.tif 000004
【図３】
2005058682.tif 000005
【図４】
2005058682.tif 000006
【図５】
2005058682.tif 000007
【図６】
2005058682.tif 000008
【図７】
2005058682.tif 000009
【図８】
2005058682.tif 000010
【図９】
2005058682.tif 000011
【図１０】
2005058682.tif 000012
【図１１】
2005058682.tif 000013
【図１２】
2005058682.tif 000014
【図１３】
2005058682.tif 000015
【図１４】
2005058682.tif 000016
【図１５】
2005058682.tif 000017
【図１６】
2005058682.tif 000018
【図１７】
2005058682.tif 000019
【図１８】
2005058682.tif 000020